(57)【特許請求の範囲】
【請求項１】
静電容量の変化を利用したタッチキーや磁石の接近による磁界の変化を利用した磁界センサ等の複数の微少な信号を入力され、かつ入力判定可能な電圧レベルの誘導起電力を次段へ出力する信号入力手段と、その入力された複数の微少な信号を順番に切替えて選択する信号切替手段と、その信号切替手段に切替指令を行う切替指令手段と、その選択された信号を検出判定可能なレベルに増幅する一つの増幅手段と、その信号を読取る読取り手段を備えた複数微少信号検出回路を操作キー部に用いた電力管理計であって、静電容量または磁界変化により前記操作キー部を操作して電力設備の電気諸量を表示する電力管理計。
【請求項２】
複数微少信号検出回路を、複数の微少な信号の入力判定が不可能な電圧レベルの誘導起電力を信号入力手段が出力する場合、信号入力手段に対応した複数増幅手段を前記信号入力手段の後段に接続し、信号切替手段の入力可能な電圧レベルに増幅する構成とした請求項１記載の電力管理計。
【請求項３】
複数微少信号検出回路を、読取り手段が、増幅手段の入出力間で信号が遅延した遅延時間だけ読取り時間を遅延させるための時間調整手段とを設け、この時間調整手段により遅延した信号を読取る構成とした請求項１記載の電力管理計。
【請求項４】
複数微少信号検出回路を、所定の信号入力手段に入力されるべき信号からの漏れ信号から隣の信号入力手段に発生する入力判定可能な電圧レベルの誘導起電力の影響を排除するため、信号切替手段の信号切替順序や信号切替時間を遅延させる信号選択調整手段を設ける構成とした請求項１記載の電力管理計。
【発明の詳細な説明】
【０００１】
【発明の属する技術分野】
本発明は静電容量の変化を利用したタッチキーや磁石の接近による磁界変化を利用した磁界センサ等の複数の微少信号を増幅して信号を判定する回路に用いる複数微少信号検出回路を操作キー部とする電力管理計に関するものである。
【０００２】
【従来の技術】
以下、従来の電力管理計は電力系統の電圧、電流を入力し、計測回路と演算部と表示部と操作キー部とから構成され、電力系統の電圧、電流、電力等の電気諸量を計測監視するものであった。また、電力管理計の内部で使用される複数微少信号検出回路についても図１５ないし図１７を参照しながら説明する。図１５に示したように、電力系統２０Ａ、電力管理計２１Ａは電圧検出ライン２２Ａ、電流検出ライン２２Ｂから計測回路２３Ａに取込み、演算部２４Ａにて電圧、電流、電力等の電気諸量を求め、表示部２５Ａにて計測値を選択的に表示し、その表示内容を選択する操作キー部２６Ａを備えていた。また、図１６は電力管理計２１Ａの外観を示し、電力管理計２１Ａの電気諸量を表示する表示部２５Ａと、その表示内容の表示選択する操作キー部２６Ａが正面に配設されていた。また、その電力管理計２１Ａの操作キー部２６Ａに用いられる磁界変化による誘導起電力（約２０ｍＶ）検出用の複数微少信号検出回路１１Ａを図１７に示した。すなわち、従来の複数微少信号検出回路１１Ａは、６個の微少信号検出用コイル１２Ａで磁界変化を検出し、そこで発生する微少電圧信号をマルチプレクサ回路１３Ａの入力判定可能な電圧レベルに６個の増幅回路１４Ａで増幅し、その増幅された微少電圧信号を順番に切替えるマルチプレクサ回路１３Ａに入力し、読取り手段１５Ａで順番に信号を読取り検出するように構成していた。
【０００３】
【発明が解決しようとする課題】
このような従来の電力管理計または複数微少信号検出回路では、複数の微少な信号を検出するためには、複数の微少信号入力に対してそれぞれ増幅手段１４Ａを設けなければならず、複数微少信号検出回路の構成が複雑かつ部品点数が多くなり、機器の大形化、コスト高となる欠点があった。
【０００４】
また、微少検出信号が一段の増幅手段１４Ａで、信号切替手段であるマルチプレクサ回路１３Ａの検出可能な電圧レベルまで増幅できない場合は、さらに増幅手段（図示せず）を追加しなければならず複雑かつ高価となる欠点があった。
【０００５】
また、一般的に増幅手段１４Ａは入力信号に対し、出力信号が遅れるという特性を有しており、増幅手段１４Ａの前段で信号切替手段であるマルチプレクサ回路１３Ａによる切替えを行う場合などは、順番に読取る際、この遅延動作により読取りの誤りが発生し技術的に困難な課題があった。
【０００６】
また、微少信号が隣に位置する入力手段である磁界変化検出用コイル１２Ａに同時に入力される場合や隣に位置する磁界変化検出用コイル１２Ａ間の距離が短い場合など、遅延動作により順番に切替えられる信号が同時に入力されたと誤検出するなどの欠点があった。
【０００７】
本発明は上記従来の課題を解決することを目的とするものである。
【０００８】
【課題を解決するための手段】
この目的を達成するために、本発明の電力管理計の第１手段は、静電容量を利用したタッチキーや磁界の変化による磁界センサ等の複数の微少な信号を入力され、かつ入力判定可能な電圧レベルの誘導起電力を次段へ出力する信号入力手段と、その入力された複数の微少な信号を順番に切替えて選択する信号切替手段と、この信号切替手段に切替指令を行う切替指令手段と、その選択された信号を検出判定可能なレベルに増幅する一つの増幅手段と、その信号を読取る読取り手段とを備えた複数微少信号検出回路を操作キー部に用いたものである。
【０００９】
また、本発明の電力管理計の第２手段は、電力管理計の第１手段に用いた複数微少信号検出回路において、信号入力手段が複数の微少な信号の入力判定が不可能な電圧レベルの誘導起電力を発生する場合は、前記信号入力手段に対応した複数の増幅手段を前記信号入力手段の後段に接続し、次段の信号切替手段の入力可能な電圧レベルに増幅する構成としたものである。
【００１０】
また、本発明の電力管理計の第３手段は、電力管理計の第１手段に用いた複数微少信号検出回路において、増幅手段で信号が遅延した遅延時間だけ読取り時間を調整する時間調整手段とを設け、この時間調整手段により遅延した信号を読取る読取り手段を設けたものである。
【００１１】
また、本発明の電力管理計の第４手段は、電力管理計の第１手段に用いた複数微少信号検出回路において、所定の信号入力手段に入力されるべき信号の漏れ信号から隣の信号入力手段に発生する入力判定可能な電圧レベルの誘導起電力の影響を排除するため、信号検出回路の信号切替順序や信号切替時間を遅延させる信号選択調整手段を設けたものである。
【００１２】
【発明の実施の形態】
本発明の電力管理計の第１手段に用いる複数微少信号検出回路は、複数の微少な信号が複数の信号入力手段に入力され、かつ次段の入力判定可能な電圧レベルの誘導起電力を出力し、信号切替手段に入力する。この信号切替手段は、前記信号入力手段で発生した誘導起電力を信号切替手段の切替指令を行う切替指令手段からの切替指令によって、順番に切替えながら信号を選択する。つぎに、増幅手段は選択された誘導起電力を検出判定可能な電圧レベルに増幅し、読取り手段は前記増幅手段で増幅された検出可能な電圧レベルの信号を読取るものである。このように、信号入力手段に入力される微少な信号が複数の入力であっても、信号切替手段を増幅手段の前段に設けることで、一個の増幅手段で複数の微少信号を検出することができる作用を有する。そして、本発明の電力管理計の第１手段は、その操作キー部にこの複数微少信号検出回路を用いることにより、受配電設備や発電設備などの各電気諸量の計測監視に用いられる電力管理計のキー操作を確実かつ円滑にするものである。
【００１３】
また、本発明の電力管理計の第２手段に用いる複数微少信号検出回路は、複数の微少な信号を複数の信号入力手段に入力し、信号切替手段の入力判定が不可能な電圧レベルの誘導起電力を発生する場合は、複数の信号入力手段に対応した複数の増幅手段とそれらのコイルの後段に接続し、信号切替手段の入力判定可能な電圧レベル増幅し、信号切替手段に入力する。このように、信号入力手段に入力される微少な信号が信号切替手段の入力で判定不可能な電圧入力であっても、信号切替手段の前段に複数の増幅手段を設けているため、電圧判定を可能にすることで、前記第１手段の信号入力手段と同じ作用を有する。そして、本発明の電力管理計の第２手段は、その操作キー部にこの複数微少信号検出回路が用いることにより、受配電設備や発電設備などの各電気諸量の計測監視に用いられる電力管理計のキー操作を確実かつ円滑にするものである。
【００１４】
また、本発明の電力管理計の第３手段に用いる複数微少信号検出回路は、複数微少信号検出回路の第３手段は、読取り手段が増幅手段の入出力間で発生した遅延時間分だけ読取り時間を切替指令手段の指令信号から遅延させるように時間調整する時間調整手段を設け、その調整された時間を遅らせて複数の信号を順番に読取るものである。このように、増幅手段により発生した遅延時間があったとしても、時間調整手段により時間調整しながら読取り手段で読取ることで、読取り誤りを防止することができる作用を有する。そして、本発明の電力管理計の第３手段は、その操作キー部にこの複数微少信号検出回路が用いることにより、受配電設備や発電設備などの各電気諸量の計測監視に用いられる電力管理計のキー操作を確実かつ円滑にするものである。
【００１５】
また、本発明の電力管理計の第４手段に用いる複数微少信号検出回路は、隣接するコイルに入力し、発生する信号切替手段の入力判定可能な電圧レベルの誘導起電力の影響を排除するようにした信号入力手段から複数の微少な信号を入力し、発生した誘導起電力を信号切替手段に入力する。そして、信号切替手段の信号切替順序を変更することと信号切替時間を遅延させる信号選択調整手段により前記信号切替手段から入力した複数の微少な信号を切替えながら信号を選択する。そして、増幅手段は選択された微少な信号を検出判定可能な電圧レベルに増幅する。そして、読取り手段は前記増幅手段で増幅された検出可能な電圧レベルの信号を読取るものである。このように、所定の信号入力手段の隣に位置する信号入力手段に漏れ信号が同時に入力された場合であっても、所定の真の入力信号だけ検出でき、読取り誤りを防止することができる作用を有する。そして、本発明の電力管理計の第４手段は、その操作キー部にこの複数微少信号検出回路が用いることにより、受配電設備や発電設備などの各電気諸量の計測監視に用いられる電力管理計のキー操作を確実かつ円滑にするものである。
【００１６】
以下、本発明の実施の形態につき図１ないし図９に沿って説明する。
【００１７】
（実施の形態１）
以下、本発明の実施の形態１について図１を参照しながら説明する。
【００１８】
図１は本実施の形態１の構成を示すものである。図１において、１Ａは複数微少信号検出回路、２Ａは複数の磁界変化を検出する磁界変化検出用コイルで、マルチプレクサ回路３Ａの入力判定可能な電圧レベルの誘導起電力を発生するものである。また、前記マルチプレクサ回路３Ａは信号切替手段として入力された信号を順番に切替えて選択する。４Ａはマルチプレクサ回路３Ａに切替指令を行う切替指令手段、５Ａは微少な信号を検出判定可能な電圧レベルに増幅する増幅手段、６Ａは増幅された信号を読取り検出する読取り手段である。なお、図１においては磁界変化検出用コイル２Ａを６入力分設けたが、６つ以上としてもよい。
【００１９】
上記構成において、その動作を説明する。複数の微少な電圧信号が信号１から信号６に入力有無を繰り返す場合、信号１から信号６の６入力を磁界変化検出用コイル２Ａに取込み、その磁界変化検出用コイル２Ａに発生した複数の誘導起電力をマルチプレクサ回路３Ａに入力し、切替指令手段４Ａからの切替指令により順番に信号を切替えるものである。例えば、信号１を選択した場合、選択された信号１を検出判定可能な電圧レベルに増幅手段５Ａで増幅し、その電圧レベルの信号を読取り手段６Ａに入力し、信号１の検出の有無を判定するものである。
【００２０】
（実施の形態２）
つぎに、本発明の実施の形態２について図２を参照しながら説明する。
【００２１】
図２は本実施の形態２の構成を示すものである。図２において、符号２Ａ、３Ａ、４Ａ、５Ａ、６Ａは実施の形態１と同様であるので、説明を省略する。１Ｂは複数微少信号検出回路、７Ａは磁界変化検出用コイル２Ａにより発生した誘導起電力がマルチプレクサ回路３Ａの入力不可能な場合に、その誘導起電力をマルチプレクサ回路３Ａの入力可能な電圧に増幅するため、各磁界変化検出用コイルに対応した複数の増幅手段である。
【００２２】
上記構成において、その動作を説明する。複数の微少な電圧信号が信号１から信号６に入力有無を繰り返す場合、信号１から信号６の６入力を磁界変化検出用コイル２Ａに取込み、その磁界変化検出用コイル２Ａに発生した複数の誘導起電力をマルチプレクサ回路３Ａの入力判定に不可能な電圧でも各コイルに対応した複数増幅手段７Ａに入力し、入力判定可能な電圧にする。その電圧信号をマルチプレクサ回路３Ａに入力し、切替指令手段４Ａからの切替指令により順番に信号を切替えるものである。例えば、信号１を選択した場合、選択された信号１を検出判定可能な電圧レベルに増幅手段５Ａで増幅し、その電圧レベルの信号を読取り手段６Ａに入力し、信号の検出の有無を判定するものである。
【００２３】
（実施の形態３）
つぎに、本実施の形態３について図３と図４を参照しながら説明する。
【００２４】
図３は本実施の形態３の構成を示すものである。図３において、符号２Ａ、３Ａ、４Ａ、５Ａは実施の形態１と同様であるので、説明を省略する。１Ｃは本実施の形態３の複数微少信号検出回路、８Ａは増幅手段５Ａで増幅された際、入出力間で発生する信号遅延時間を読取り手段６Ａで遅延時間分だけ遅らせて読取るようにする時間調整手段で、この時間調整手段８Ａで時間調整した信号を読取り手段６Ａで読取り検出するものである。なお、図３においては信号入力手段を６入力としたが、６つ以上としてもよい。
【００２５】
上記構成においてその動作を説明する。複数の微少な電圧信号が信号１から信号６に入力有無を繰り返す場合、信号１から信号６の６入力を磁界変化検出用コイル２Ａに取込み、その発生した複数の誘導起電力をマルチプレクサ回路３Ａに入力し、切替指令手段４Ａからの切替指令により順番に信号を切替えるものである。例えば、信号１を選択し、選択された信号１を検出判定可能な電圧レベルに増幅手段５Ａで増幅する。この増幅手段５Ａの入出力間で発生する信号遅延時間だけ、時間調整手段８Ａで時間を調整し、読取り手段６Ａで調整時間だけ遅らせながら信号を読取り、信号検出の有無を判定するものである。つぎに、図４に沿って実施の形態３の動作を説明する。特に、増幅手段５Ａによる信号の遅延動作と読取り手段６Ａによる遅延信号の読取り動作を説明するものである。図４において、２１Ａは増幅手段５Ａに入力される信号で、２１Ｂは増幅手段５Ａで増幅され、遅延時間を発生した出力信号である。２２Ａは時間調整手段８Ａで遅延時間を調整しない場合の読取りタイミング１で、２３Ａはそのときの読取り手段６Ａの読取り信号であって、遅延時間分によって、読取り波形が欠落し、正常な信号波形を読取ることができなくなる。２２Ｂは時間調整手段８Ａで遅延時間を時間調整した場合の読取りタイミング２で、２３Ｂはそのときの読取り手段６Ａの読取り信号であって、遅延時間分だけ読取り時間を長くすることで、正常な信号波形を読取ることができる。このように、時間調整手段８Ａにおいて２２Ｂの読取りタイミング２に調整することで、増幅手段５Ａで遅延時間が発生しても正常に信号の読取り検出が可能となる。ここで、読取り信号２３Ｂでは読取り時間を長くするとしたが、読取りタイミング１を読取り調整時間分だけ遅延した場合も同じである。
【００２６】
（実施の形態４）
つぎに、本発明の実施の形態４について図５ないし図９を参照しながら説明する。
【００２７】
図５は、本実施の形態４の構成を示すものである。図において、符号４Ａ、５Ａは実施の形態１と同様であるので、説明を省略する。１Ｄは本実施の形態４の複数微少信号検出回路、２Ａは隣接した入力手段の影響を排除するようにマルチプレクサ回路３Ａと接続した信号入力手段、３Ａは入力された信号を切替えて選択する信号切替え手段、９Ａはマルチプレクサ回路３Ａの切替順序を任意に設定でき、各選択信号の切替え時間を遅延させる信号選択調整手段である。
【００２８】
上記構成において、実施の形態４の動作を説明する。まず、複数の微少な電圧信号が信号１から信号６に入力有無を繰返す場合、信号１から信号６の６入力を信号入力手段２Ａに取込み、マルチプレクサ回路３Ａの入力で隣接した入力手段から影響がないように接続配置し、マルチプレクサ回路３Ａに入力する。さらにマルチプレクサ回路３Ａに入力された信号を隣接した入力の影響のないように信号切替え順序を不連続にしたり、切替え時間を遅延させるように選択調整する信号選択調整手段９Ａで信号を切替え選択する。そして、選択された信号を検出判定可能な電圧レベルに増幅手段５Ａで増幅し、読取り手段６Ａで信号検出の有無を判定するものである。つぎに、図６ないし図９に沿って本実施の形態４の動作を説明する。
【００２９】
すなわち、信号選択調整手段９Ａで全く調整しない場合を図６で、信号選択手段９Ａにおいてマルチプレクサ回路３Ａの切替順序を不連続に動作させた場合を図７で説明する。また、信号選択調整手段９Ａで隣接した入力手段に影響がなくなるまで切替え時間を長くした場合を図８で説明する。また、磁界変化検出用コイル２Ａとマルチプレクサ回路３Ａとの接続配置を隣接した入力手段の影響のないように配置した場合を図９で説明する。
【００３０】
まず、図６において、磁界変化検出用コイル２Ａによる入力信号は信号１が磁界変化検出用コイル２Ａの入力１に入力される信号で、漏れ信号１が信号１の影響で隣に位置する磁界変化検出用コイル２Ａの入力２に入力され、入力３には信号１の影響がなかった場合を示している。このような場合、図６はマルチプレクサ回路３Ａによる出力信号は時間Ｔ１のとき信号１が切替え選択され、時間Ｔ２のとき信号２、時間Ｔ３のとき信号３が選択された場合を示すものである。また、マルチプレクサ回路３Ａで切替え１，２，３の順序で切替えられた場合はコイル２Ａの入力２の漏れ信号１により誤検出が発生することになる。
【００３１】
これに対し図７では、信号選択調整手段９Ａの動作により時間Ｔ１のとき信号１が切替え選択され、時間Ｔ２のとき信号３、時間Ｔ３のとき信号２が選択するようにした場合を示すものである。したがって、この場合に時間Ｔ２に入力される漏れ信号１は切替え順序を変更することで除去することができ、誤検出が発生しなくなる。このように信号選択調整手段９Ａの動作により隣に位置する入力信号の切替え順序を不連続とすることで、信号の誤検出を防止することができる。
【００３２】
また、図８は信号切替え時間を隣に位置する信号入力の影響がなくなるまで遅延させた場合で、信号選択調整手段９Ａにより時間Ｔ１のとき信号１を切替え選択し、隣に位置する入力２へ信号１の影響がなくなるまで時間Ｔ１の期間を遅延させる。さらに、時間Ｔ２のとき信号２、時間Ｔ３のとき信号３が選択するようにした場合を示すものである。この場合、隣接入力２に漏れ信号１の入力がされている時間だけ時間Ｔ１を遅延させることで、切替え２の時間Ｔ２では影響が全くなくなり、誤検出されなくなる。このように信号選択調整手段９Ａにより隣接する入力信号の影響がなくなるまで切替え時間を遅延させることで、信号の誤検出を防止することができる。
【００３３】
さらに、図９は隣接した入力手段からマルチプレクサ回路３Ａまでの配置接続をマルチプレクサ回路３Ａの出力が不連続となるようにした場合で、磁界変化検出用コイル２Ａの入力１からマルチプレクサ回路３Ａの切替え１に接続し、また、入力２から切替え３、さらに、入力３から切替え２へ接続した場合を示すものである。この場合、隣接入力２に漏れ信号１の入力がされている時間Ｔ２はマルチプレクサ回路３Ａで入力３の信号の切替え２を選択し、漏れ信号の影響がなくなる時間Ｔ３において切替え３で入力２が選択されるため、入力２への漏れ信号１がマルチプレクサ回路３Ａの出力に出力されず、隣接入力の影響を排除でき誤検出されなくなる。このように磁界変化検出用コイル２Ａとマルチプレクサ回路３Ａを隣接入力の影響を排除するように配置することで、信号の誤検出を防止することができるものである。
【００３４】
（実施の形態５）
つぎに、本発明の実施の形態５について図１０，図１１を参照しながら説明する。
【００３５】
図１０は、本実施の形態５の構成を示すものである。図１０において、２０Ａは電力管理計が設置される受電設備、発電設備等の電力系統、２１Ａは本実施の形態の電力管理計である。２２Ａは電力系統の電圧を測定するために、電力管理計に取込む電圧で、２２Ｂはその電流である。２３Ａは電力管理計の内部で入力された電圧、電流の計測と演算可能な電圧に変換するための計測部で、２４Ａは前記計測部２３Ａの計測値を電圧、電流、電力等の電気諸量に演算し、かつ表示部２５Ａの表示や操作キー部２７Ａの入力を制御または検出する演算部で、予め決められた操作キー部２７Ａに対応した表示を出力するようにしたものである。なお、表示部２５Ａは演算された各電気諸量の値を表示するものである。
【００３６】
さらに、操作キー部２７Ａはその表示内容を切替選択するものである。この操作キー部２７Ａは磁石等を接近させることで、その磁界変化を検出してキー操作するために、実施の形態１の複数微少信号検出回路１Ａを使用するもので、磁界変化検出用コイル２Ａを使用した場合を示したものである。
【００３７】
また、図１１は、本実施の形態５の電力管理計の外観を示すものである。すなわち、２１Ａは電力管理計本体で、表示部２５Ａの周辺の操作キー部２７Ａには複数微少信号検出回路１Ａの磁界変化検出用コイル２Ａが２０個配設されたものである。
【００３８】
上記構成において、その動作を説明する。操作キー部２７Ａに使用される第１手段の複数微少信号検出回路１Ａの磁界変化検出用コイル２Ａに磁石を接近させることで、この磁界変化検出用コイル２Ａにマルチプレクサ回路の入力判定可能な誘導起電力（約２０ｍＶ）を発生させ、その誘導起電力を複数微少信号検出回路１Ａにて容易に検出し、予め磁石の接近により決められた磁界変化検出用コイルに対応した表示内容を表示部２５Ａに表示するものである。また、別の磁界変化検出用コイル２Ａに磁石を接近させることで表示内容が別の内容に切替るようにして使用するものである。
【００３９】
（実施の形態６）
つぎに、本発明の実施の形態６の電力管理計について図１２を参照しながら説明する。
【００４０】
図１２は、本実施の形態６の構成を示すものである。図１２において、符号２０Ａ、２２Ａ、２２Ｂ、２３Ａ、２４Ａ、２５Ａは実施の形態５と同様であるので、説明を省略する。２１Ｂは本実施の形態６の電力管理計で、２７Ｂは表示部２５Ａの表示内容を切替選択する操作キー部である。この操作キー部２１Ｂは磁石等を接近することで、その磁界変化を検出して操作するために、実施の形態２の複数微少信号検出回路１Ｂを使用するもので、磁界変化検出用コイル２Ａを使用した場合を示したものである。
【００４１】
本実施の形態６の外観は実施の形態５の電力管理計と同様であるので説明を省略する。
【００４２】
上記構成において、その動作を説明する。操作キー部２７Ｂに使用される第２手段の複数微少信号検出回路１Ｂの磁界変化検出用コイル２Ａに磁界の弱い磁石を接近させることで、この磁界変化検出用コイル２Ａにマルチプレクサ回路３Ａの入力判定が不可能な誘導起電力（約１ｍＶ未満）を発生させ、その誘導起電力を複数微少信号検出回路１Ｂにて検出可能な電圧にし、容易に検出する。そして予め決められた磁界変化検出用コイルに対応した表示内容を表示部２５Ａに表示する。また、別の磁界変化検出用コイルに磁石を接近させることで表示内容が別の内容に切替るようにして使用するものである。
【００４３】
（実施の形態７）
つぎに、本発明の実施の形態７の電力管理計について図１３を参照しながら説明する。
【００４４】
図１３は、本実施の形態７の構成を示すものである。図１３において、符号２０Ａ、２２Ａ、２２Ｂ、２３Ａ、２４Ａ、２５Ａは実施の形態５の電力管理計と同様であるので、説明を省略する。２１Ｃは本実施の形態７の電力管理計、２７Ｃは表示部２５Ａの表示内容を切替選択する操作キー部である。この操作キー部２１Ｃは磁石等を接近させることにより、その磁界変化を検出して操作するために、実施の形態３の複数微少信号検出回路１Ｃを使用するもので、磁界変化検出用コイル２Ａを使用した場合を示したものである。
【００４５】
本実施の形態７の外観は実施の形態５の電力管理計と同様であるので説明を省略する。
【００４６】
上記構成において、その動作を説明する。操作キー部２７Ｃに使用される実施の形態３の複数微少信号検出回路１Ｃの磁界変化検出用コイル２Ａに磁石を接近させることで、この磁界変化検出用コイルにマルチプレクサ回路３Ａの入力判定可能な誘導起電力（約２０ｍＶ）を発生させ、その誘導起電力を複数微少信号検出回路１Ｃにて容易に検出し、予め磁石の接近にて決められた磁界変化検出用コイルに対応した表示内容を表示部２５Ａに表示する。また、別の磁界変化検出用コイルに磁石を接近させることで表示内容が別の内容に切替るようにして使用するものである。
【００４７】
（実施の形態８）
つぎに、本発明の実施の形態８の電力管理計について図１４を参照しながら説明する。
【００４８】
図１４は、本実施の形態８の構成を示すものである。図１４において、符号２０Ａ、２２Ａ、２２Ｂ、２３Ａ、２４Ａ、２５Ａは実施の形態５の電力管理計と同様であるので、説明を省略する。２１Ｄは本実施の形態８の電力管理計、２７Ｄは表示部２５Ａの表示内容を切替選択する操作キー部である。この操作キー部２７Ｄは磁石等の接近による磁界変化を検出して行うもので、実施の形態４の複数微少信号検出回路１Ｄを使用するもので、磁界変化検出用コイル２Ａを使用した場合を示すものである。
【００４９】
本実施の形態８の電力管理計の外観は実施の形態５と同様であるので説明を省略する。
【００５０】
上記構成において、その動作を説明する。操作キー部２７Ｄは図５のように複数の磁界変化検出用コイル２Ａが近接した状態で配置され、その磁界変化検出用コイル２Ａに磁石を接近させる場合、近接した磁界変化検出用コイルに漏れ磁界が入力されるが、第４手段の複数微少信号検出回路１Ｄを用いることで、その漏れ磁界の影響を受けずに容易に検出し、予め磁石の接近にて決められた磁界変化検出用コイルに対応した表示内容を表示部２５Ａに表示するものである。
【００５１】
【発明の効果】
本発明の電力管理計の第１手段によれば、操作キー部に、複数の微少な信号を１つの増幅手段で検出することで簡単な回路構成とすることができ、かつ回路部の小形化や経済的効果を有する複数微少信号検出回路を備えることで、複数の磁界変化の信号検出を容易に行うことができ、回路の簡素化、低コスト化、省スペース化を可能とする効果が得られる。
【００５２】
また、本発明の複数微少信号検出回路の第２手段によれば、電力管理計の操作キー部に、複数の微少信号で磁界変化検出用コイルで発生した誘導起電力の電圧レベルがマルチプレクサ回路の入力不可能な電圧レベルであっても、各磁界変化検出用コイルに対応した複数の増幅手段を設けることで、信号検出を可能とする複数微少信号検出回路を備えることで、複数の磁界変化の信号検出を容易に行うことができ、回路の簡素化、低コスト化、省スペース化を可能とする効果が得られる。
【００５３】
また、本発明の電力管理計の第３手段によれば、操作キー部に、複数の微少な信号を１つの増幅手段と時間調整手段を使用することで、増幅手段で発生する遅延時間による読取り誤りを防止することができ、より信頼性の高い信号検出ができる複数微少信号検出回路を備えることで、複数の磁界変化の信号検出を容易に行うことができ、回路の簡素化、低コスト化、省スペース化を可能とする効果が得られる。
【００５４】
また、本発明の電力管理計の第４手段によれば、操作キー部に、隣接した入力手段の誘導や漏れ信号による誤検出を容易に防止することができ、機器の信頼性を高め、かつ入力手段間の距離を短くすることができるため、機器の小形化を図る効果を奏する複数微少信号検出回路を備えることで、複数の磁界変化の信号検出を容易に行うことができ、回路の簡素化、低コスト化、省スペース化を可能とする効果が得られるものである。
【図面の簡単な説明】
【図１】  本発明の実施の形態１における複数微少信号検出回路の構成を示すブロック図
【図２】  同実施の形態２における複数微少信号検出回路の構成を示すブロック図
【図３】  同実施の形態３における複数微少信号検出回路の構成を示すブロック図
【図４】  同実施の形態３における複数微少信号検出回路の時間調整手段の動作を示すタイミングチャート
【図５】  同実施の形態４における複数微少信号検出回路の構成を示すブロック図
【図６】  同実施の形態４における複数微少信号検出回路の信号選択調整手段の不動作時による動作を示すタイミングチャート
【図７】  同実施の形態４における複数微少信号検出回路の信号選択調整手段の切替え順序の不連続時による動作を示すタイミングチャート
【図８】  同実施の形態４における複数微少信号検出回路の信号選択調整手段の切替え時間遅延による動作を示すタイミングチャート
【図９】  同実施の形態４における複数微少信号検出回路の信号入力手段の隣接配置を排除した時の動作を示す動作説明図
【図１０】  同実施の形態５における電力管理計の構成を示すブロック図
【図１１】  同実施の形態５における電力管理計の外観斜視図
【図１２】  同実施の形態６における電力管理計の構成を示すブロック図
【図１３】  同実施の形態７における電力管理計の構成を示すブロック図
【図１４】  同実施の形態８における電力管理計の構成を示すブロック図
【図１５】  従来の電力管理計の構成を示すブロック図
【図１６】  従来の電力管理計の外観斜視図
【図１７】  従来の複数微少信号検出回路の構成を示すブロック図
【符号の説明】
１Ａ，１Ｂ，１Ｃ，１Ｄ    複数微少信号検出回路
２Ａ    磁界変化検出用コイル（複数微少信号検出回路）
３Ａ    マルチプレクサ回路（信号切替手段）
４Ａ    切替指令手段
５Ａ    増幅手段
６Ａ    読取り手段
７Ａ    複数増幅手段
８Ａ    時間調整手段
９Ａ    信号選択調整手段
２０Ａ  電力系統
２１Ａ，２１Ｂ，２１Ｃ，２１Ｄ    電力管理計
２７Ａ，２７Ｂ，２７Ｃ，２７Ｄ    操作キー部
【図１】
0003757599.tif 000002
【図２】
0003757599.tif 000003
【図３】
0003757599.tif 000004
【図４】
0003757599.tif 000005
【図５】
0003757599.tif 000006
【図６】
0003757599.tif 000007
【図７】
0003757599.tif 000008
【図８】
0003757599.tif 000009
【図９】
0003757599.tif 000010
【図１０】
0003757599.tif 000011
【図１１】
0003757599.tif 000012
【図１２】
0003757599.tif 000013
【図１３】
0003757599.tif 000014
【図１４】
0003757599.tif 000015
【図１５】
0003757599.tif 000016
【図１６】
0003757599.tif 000017
【図１７】
0003757599.tif 000018